(57)【要約】【課題】ダンパーの一部分の飛出後、メダル収納箱を飛出したダンパーに当てて徐々に収納箱を押込めば、内部の受皿が傾斜し、同時に前面扉が展開して、メダルを確実に収納箱に収納でき、メダルの突然の排出を阻止したパチスロ機のメダル一括排出機構付受皿を提供する。【解決手段】受皿に装着するダンパーが、ダンパーに装着する飛出機構によって所定の長さだけパチスロ機の前面より前方に飛出した後、受皿に装着する傾斜機構が受皿を徐々に前方に所定の角度だけ傾斜させ、受皿の傾斜を開始すると同時に比例して受皿を遮蔽していた前面扉が展開し、受皿内のメダルが排出し、メダルの排出後、ダンパーを後方に押してやると、受皿と前面扉が元の位置に復元する。【選択図】　図１
2004065450.tif 000002
【特許請求の範囲】
【請求項１】
メダル一括排出機構付受皿を有するパチスロ機において、
前記受皿に装着するダンパーが、ダンパーに装着する飛出機構によって所定の長さだけ前記パチスロ機の前面より前方に飛出した後、前記受皿に装着する傾斜機構が前記受皿を徐々に前方に所定の角度だけ傾斜させ、前記受皿の傾斜を開始すると同時に比例して前記受皿を遮蔽していた前面扉が展開し、前記受皿内のメダルが排出し、前記メダルの排出後、前記ダンパーを後方に押してやると、前記受皿と前記前面扉が元の位置に復元するようにしたことを特徴とするパチスロ機のメダル一括排出機構付受皿。
【請求項２】
前記飛出機構は、前記パチスロ機の枠体より飛出のイジェクトボタンを押圧すると、バネによって牽引されていたストッパーの先端部を上方に押上げ、前記の押上げによって前記ダンパーを前方に飛出せしめる飛出阻止機構を解除することを特徴とする請求項１記載のパチスロ機のメダル一括排出機構付受皿。
【請求項３】
前記ダンパーの飛出阻止機構は、前記ダンパー下方の下方部位に交叉状に軸着する２枚の操作部を配し、交叉する前記２枚の操作部の前方端部を介してダンパーの前方部を押圧せしめ、交叉する前記２枚の操作部の交叉部より後方の対向する前記２枚の操作部の内側部にバネを夫々接続せしめ、前記ストッパー機構が解除し前記ストッパーの引掛け部と前記ダンパーの後方部に設けた孔部との係止部分が離脱すると、前記両操作部に接続の前記バネが対向状の前記操作杆を牽引して前記ダンパーを前方に飛出させることを特徴とする請求項１又は請求項２記載のパチスロ機のメダル一括排出機構付受皿。
【請求項４】
前記ダンパーの左右両サイドに取着のスライダーは、前記ダンパーの移動に比例して移動し、且分離板によって区分された内側誘導部と外側誘導部内を交互に前方もしくは後方に移動し、前記内側誘導部内を移動するときは、前記ダンパーが前方へ前進し、メダルが収納されている前記受皿を傾斜させメダルを排出するときは、外側誘導部内を移動するものであると共に、前記受皿からのメダルの排出終了後や、前記ダンパーの前進への飛出時には、前記内外側誘導部と接続する前方誘導部もしくは後方誘導部に収納するようにしたことを特徴とする請求項１又は請求項２又は請求項３記載のパチスロ機のメダル一括排出機構付受皿。
【請求項５】
前記傾斜機構は、前記受皿の左右両サイドに位置し、３枚の操作部の一端部を回動できるように軸着し、前方に延設する前方操作部の軸着していない他端部に突起部を形成し、前記ダンパーが前記外側誘導部内を通過するとき前記突起部に係止して前記前方操作部を後方へ押圧し、所定の距離を移動したところで押圧を解除し、前記傾斜機構を構成する上方向に傾斜する上方操作部の軸着していない他端部は、前記受皿の側壁部に回動できるように軸着し、下方へ傾斜する下方操作部の軸着していない他端部に嵌挿孔を設け、この嵌挿孔に水平状の突起を挿入し前記下方操作部が回動できるトグルとしたことを特徴とする請求項１又は請求項２又は請求項３又は請求項４記載のパチスロ機のメダル一括排出機構付受皿。
【請求項６】
前記前面扉は、前記受皿が前方に傾斜しないときは、前記受皿の上方部と前方部とを遮蔽せしめ、前記受皿が傾斜すると遮蔽状態が解除されて、下方端部を基点にして展開状態となるようにしたことを特徴とする請求項１又は請求項２又は請求項３又は請求項４又は請求項５記載のパチスロ機のメダル一括排出機構付受皿。
【発明の詳細な説明】
【０００１】
【発明の属する技術分野】
本発明は、パチスロ機に組込まれ、受皿内に排出のメダルをさらにメダル収納箱内に排出せしめるメダル一括排出機構付受皿の分野に関するものである。
【０００２】
【従来の技術】
従来パチスロ機の受皿に収納されたメダルを一括して外部のメダル収納箱内に排出せしめる排出機構付受皿については、本件出願人が出願した特願２００２−９７９５がある。
【０００３】
前記出願の受皿機構は、ダンパーが前方に飛出すると同時に前面扉が開くという機構のため、直ちにメダルが排出し、イジェクトボタンを押す前に予めメダル収納箱を用意しておかなければならなかった。
【０００４】
さらに前記出願は、メダル一括排出機構の受皿を、受皿の後方部か、あるいは受皿の下方部に位置せしめ装着するものであった。
【０００５】
そして前記一括排出機構の受皿を後方部に位置せしめると、パチスロ機本体の内部にまで前記受皿の排出機構が及ぶため、前記パチスロ機の内部の構造を変更せざるを得なかった。
【０００６】
さらに前記受皿の排出機構を受皿の下方部に位置するときは、前記パチスロ機の限られたスペース内に設置するために、前記受皿の容積が極端に小さくなるという弊害があった。
【０００７】
【発明が解決しようとする課題】
しかるに本発明は、ダンパーの一部分の飛出後、メダル収納箱を飛出したダンパーに当てて、徐々に収納箱を押込めば、内部の受皿が傾斜し、同時に前面扉が展開して、メダルを確実に前記収納箱に収納できるようにしたメダルの突然の排出を阻止したものである。
【０００８】
さらに本発明は、メダル一括排出機構を前記受皿の左右両側に装着せしめて、前記パチスロ機内部の構造を変更する必要もなく、単純に既設のパチスロ機の受皿部分のみを交換することができると共に、さらに受皿の容積を従来どおりに確保せしめるようにした。
【０００９】
【課題を解決するための手段】
請求項１記載の発明は、メダル一括排出機構付受皿を有するパチスロ機において、
前記受皿に装着するダンパーが、ダンパーに装着する飛出機構によって所定の長さだけ前記パチスロ機の前面より前方に飛出した後、前記受皿に装着する傾斜機構が前記受皿を徐々に前方に所定の角度だけ傾斜させ、前記受皿の傾斜を開始すると同時に比例して前記受皿を遮蔽していた前面扉が展開し、前記受皿内のメダルが排出し、前記メダルの排出後、前記ダンパーを後方に押してやると、前記受皿と前記前面扉が元の位置に復元するようにしたことを特徴とするパチスロ機のメダル一括排出機構付受皿である。
【００１０】
請求項２記載の発明は、前記パチスロ機の枠体より飛出のイジェクトボタンを押圧すると、バネによって牽引されていたストッパーの先端部を上方に押上げ、前記の押上げによって前記ダンパーを前方に飛出せしめる飛出阻止機構を解除することを特徴とする請求項１記載のパチスロ機のメダル一括排出機構付受皿である。
【００１１】
請求項３記載の発明は、前記ダンパーの飛出阻止機構は、前記ダンパー下方の下方部位に交叉状に軸着する２枚の操作部を配し、交叉する前記２枚の操作部の前方端部を介してダンパーの前方部を押圧せしめ、交叉する前記２枚の操作部の交叉部より後方の対向する前記２枚の操作部の内側部にバネを夫々接続せしめ、前記ストッパー機構が解除し前記ストッパーの引掛け部と前記ダンパーの後方部に設けた孔部との係止部分が離脱すると、前記両操作部に接続の前記バネが対向状の前記操作杆を牽引して前記ダンパーを前方に飛出させることを特徴とする請求項１又は請求項２記載のパチスロ機のメダル一括排出機構付受皿である。
【００１２】
請求項４記載の発明は、前記ダンパーの左右両サイドに取着のスライダーは、前記ダンパーの移動に比例して移動し、且分離板によって区分された内側誘導部と外側誘導部内を交互に前方もしくは後方に移動し、前記内側誘導部内を移動するときは、前記ダンパーが前方へ前進し、メダルが収納されている前記受皿を傾斜させメダルを排出するときは、外側誘導部内を移動すると共に、前記受皿からのメダルの排出終了後や、前記ダンパーの前進への飛出時には、前記内外側誘導部と接続する前方誘導部もしくは後方誘導部に収納するようにしたことを特徴とする請求項１又は請求項２又は請求項３記載のパチスロ機のメダル一括排出機構付受皿である。
【００１３】
請求項５記載の発明は、前記傾斜機構は、前記受皿の左右両サイドに位置し、３枚の操作部の一端部を回動できるように軸着し、前方に延設する前方操作部の軸着していない他端部に突起部を形成し、前記ダンパーが前記外側誘導部内を通過するとき前記突起部に係止して前記前方操作部を後方へ押圧し、所定の距離を移動したところで押圧を解除し、前記傾斜機構を構成する上方向に傾斜する上方操作部の軸着していない他端部は、前記受皿の側壁部に回動できるように軸着し、下方へ傾斜する下方操作部の軸着していない他端部に嵌挿孔を設け、この嵌挿孔に水平状の突起を挿入し前記下方操作部が回動できるトグルとしたことを特徴とする請求項１又は請求項２又は請求項３又は請求項４記載のパチスロ機のメダル一括排出機構付受皿である。
【００１４】
請求項６記載の発明は、前記前面扉は、前記受皿が前方に傾斜しないときは、前記受皿の上方部と前方部とを遮蔽せしめ、前記受皿が傾斜すると遮蔽状態が解除されて、下方端部を基点にして展開状態となるようにしたことを特徴とする請求項１又は請求項２又は請求項３又は請求項４又は請求項５記載のパチスロ機のメダル一括排出機構付受皿である。
【００１５】
【発明の実施の形態】
請求項１〜６記載の発明に関する実施の形態は共通するので、以下のとおり一括して説明する。
【００１６】
図面においてａは受皿、ｂは前記受皿ａの前面と上面を遮蔽する前面扉である。ｃは前記受皿ａの下方部に水平状にして、且前方部が一部だけ前面に飛出したり、あるいは後方へ進行し復元収納するダンパーである。
【００１７】
前記受皿ａの構成は以下のとおりである。この受皿ａはパチスロ機の内部にて排出されたメダルを収納し、以下に説明する傾斜機構によって前方に所定の角度だけ傾斜して収納中のメダルを外部に排出し、排出後は以下に説明する傾斜機構及び関連する作動機構によって元の状態に復元するものである。
【００１８】
１はイジェクトボタンであり、枠体２の上方部より一部分が飛出している。３は中央部を回動自在に軸支した梃子であり、この一端部を前記イジェクトボタン１が押圧する。さらに前記梃子３の他端部は受皿ａの後方に位置する化粧板４に装着するストッパー５と接続する。そして前記ストッパー５の中央部分に引掛け部６を形成する。また前記ストッパー５は、バネ７によって下方に牽引されている。従って前記ボタン１を押すと梃子３の左サイドの端部が押下し、右サイドの端部が上昇し、この上昇によってバネ７が伸脹し同着の前記ストッパー５が上昇する。前記ストッパー５の上昇によって引掛け部６がダンパーｃとの引掛りを解除する。前記の解除動作によって、前記ダンパーｃが前方に一部だけ前進する。８は枢軸部である。この前進の手段については後述する。
【００１９】
つぎにダンパーｃの飛出機構について説明する。
【００２０】
このダンパーｃの後方部に前記ストッパー５の下方部に突設する引掛け部６が挿入する引掛り用の小孔９を形成する。
【００２１】
前記ダンパーｃが図１のように収納されているときは、前記ストッパー５が前記バネ７によって下方に牽引され、前記小孔９内に前記引掛け部６が挿込まれており、前記ダンパーｃが前方へ飛出するのを阻止している。
【００２２】
１０はダンパーｃの前方部である。
【００２３】
前記ダンパーｃを構成する板部１１の下方にダンパーｃの前方部１０の高さ分だけの間隔を設けた個所に固定状態の下方板部１２を設ける（図３、４、５）。
【００２４】
前記下方板部１２の上方に偏平状の細長い操作部１３、１４をＸ形状に交叉し枢着せしめる。１５は前記操作部１３、１４を交叉させた枢着部である。
【００２５】
さらに交叉状の前記操作部１３の右側方の端部は、下方板部１２を支点１５ａとし、他方の操作部１４の右側方の端部は、前記ダンパーｃと接続し支点１５ａとする。他方前記操作部１３の左側方の端部は、ピン１６を下向きにして突設し、前記ピン１６が左右何れかの方向に自由自在にスライドできる細長い形状のスライド部１７を前記下方板部１２に設ける。さらに前記操作部１４の左側方の端部は、ピン１６を下向きにして突設し、前記ピン１６が左右何れかの方向に自由自在にスライドできる細長い形状のスライド部１７を前記ダンパーｃに設ける。
【００２６】
さらに前記交叉状操作部１３、１４において、前記枢着部１５よりも後方部位の対向する側面部の間に、バネ１８を接続する。
【００２７】
前記バネ１８は、前記ダンパーｃと小孔９に挿込まれていた引掛部６が前記ボタン１の押下げによって離脱すると同時に、両操作部１３、１４の展開角度を所定の角度だけ縮小させ、前記ダンパーｃを前方向に前記のように縮小した角度分の所定の長さだけ図４から図５のようになって飛出させる。
【００２８】
前記のダンパーｃが前進したら、メダル収納箱（図示なし）をダンパーｃの前方部１０に当接する。
【００２９】
つぎにスライダー２０の構成につき説明する。
【００３０】
前記スライダー２０は本発明の要部であり、前記ダンパーｃの左右両サイドに取着することを条件とし、ダンパーｃの移動に比例してスライドする。そのため受皿ａの容積を縮小したりしない。
【００３１】
そして前記スライダー２０は図６、７、８、１７、１８の如く突設し、後述する受皿ａを傾斜させたり、復元させる傾斜機構の動作と密接不可分の関係にある。
【００３２】
以下その構成を具体的に説明する。
【００３３】
２１は図１１〜１８に図示されている枠体２より垂下する分離板であり、この分離板２１の下方部位に前記分離板２１によって区分されている内側誘導部２２と外側誘導部２３とが形成されている。２４は前記両誘導部２２、２３と接続し、且両部の前方部に形成した前方誘導部である。２５は前記前方誘導部２４と反対側の両誘導部２２、２３と接続し、且両部の後方部に形成した後方誘導部である。
【００３４】
さらに前記前方誘導部２４と後方誘導部２５とは、前記図面図示のとおり、前方誘導部２４の外側面が前記外側誘導部２３の外側縁部２６と直線状にて形成されており、他方後方誘導部２５の外側面は、前記内側誘導部２２の内側縁部２７と直線状にて形成されている。
【００３５】
さらに前記前後両側誘導部２４、２５は、前記スライダー２０が収納したら、左右に揺動しないような形状となっている（図１３、１６）。
【００３６】
さらに前記スライダー２０は、前記分離板２１によって区切られた前記の前後側誘導部２２、２３をスライドするようにしたものであり、前記内側誘導部２２内をスライドするときは、後述の傾斜機構に引掛ったりしない。従って傾斜機構に引掛らないので、前記受皿ａが傾斜動作をしない構造となっている。
【００３７】
さらに前記各誘導部２２、２３、２４、２５と分離板２１は固定している。
【００３８】
つぎに傾斜機構について説明する。
【００３９】
傾斜機構ｄは、図９〜１７に図示されているとおり、受皿ａの左右両サイドに位置することを条件とするものであって、以下の部材からなっている。そして前記のように受皿ａの両サイドに装着することによって、受皿ａの容積を縮小したりしない。
【００４０】
この傾斜機構ｄは、前記ダンパーｃの軌道線上に位置している。
【００４１】
３１はこの傾斜機構ｄを構成する３枚の操作部２８、２９、３０の夫々の端部を枢着した枢着部である。この枢着部３１は他の構成部材と接続していない。
【００４２】
前記傾斜機構ｄの中、一つは前方操作部２８であり、この操作部２８の前記図面図示のとおり一端部は枢着しているが、枢着していない他端部には内側面に水平状に突設する突起部３２を形成する。
【００４３】
この前記前方操作部２８の突起部３２は、図１４に図示したとおり、前記スライダー２０が前方誘導部２４から後方に進行したとき突起部３２に係止し、係止状態のまま移動する。
【００４４】
さらに上方操作部２９につき説明する。この操作部２９は、枢着していない他端部は、受皿ａの側壁部と軸着している。３３は受皿ａの側壁部と前記上方操作部２９とを接続せしめた軸着部である。
【００４５】
また下方操作部３０は、一端部が他の２枚の操作部２８、２９と枢着しているが、他端部には嵌挿孔３４を設け、この嵌挿孔３４は、図１７、１８に図示している水平状に突設している固定状態の突起３５に回動自在に挿入する。
【００４６】
３６は下方操作部３０の回動をスムーズにさせる凹部である。
【００４７】
前記傾斜機構ｄはダンパーｃに取着されているスライダー２０の移動と不可分の関係にある（図１１〜１６）。
【００４８】
前記ダンパーｃが前方に飛出しない、いわゆる前記ダンパーｃが収納し静止状態のときは、図１１に図示されているように、前記スライダー２０は後方誘導部２５に収納されている。
【００４９】
しかし前記ボタン１を押下してダンパーｃの引掛り状態が解除されると、バネ１８の作用によって前記ダンパーｃが若干ではあるが前方に飛出する。そのときダンパーｃの左右両サイドに取着の後方誘導部２５に位置していたスライダー２０も前記ダンパーｃに比例して前方に移動する。この移動は内側誘導部２２側を図１１、１２、１３のように移動して、前方誘導部２４に収納される。
【００５０】
以上のようなスライダー２０の移動時には、スライダー２０と前方操作部２８の突起部３２とが係合することがない機構なので、受皿ａは静止したままである。
【００５１】
上記のようにボタン１が押下した後、前記ダンパーｃが前方部に若干飛出したら、メダル収納箱（図示していない）の前方の側壁面部を前記ダンパーｃの前方部１０に当ててやる。
【００５２】
しかる後収納箱を当てたまま若干押圧してやると、前方誘導部２４内に位置していたスライダー２０が図１４の如く後方向に移動し、前方操作部２８の突起部３２と接触する。そのとき突起部３２が前方操作部２８の押圧力によって後方へと移動する。前記前方操作部２８の移動が受皿ａを図１５のように傾斜し、収納中のメダルが収納箱内に投入され、受皿ａの傾斜に応じて前面扉ｂも図１４から１５にかけて自重によって展開される。
【００５３】
そして前記ダンパーｃを押し続けると、前方操作部２８は図１５のような押込み状態から押圧を離脱して図１６のようにスライダー２０が後方誘導部２５内に位置する。そのとき受皿ａと前面扉ｂは元の状態に復元し、同時にダンパーｃもストッパー５と引掛り状態となって元の状態に復元する。
【００５４】
前記前面扉ｂは、左右両側面部３７に形成の嵌挿孔３８内に受皿ａの左右両側壁面部３７に突設する突子３９を嵌挿する。
【００５５】
【発明の効果】
請求項１記載の発明は、メダル一括排出機構付受皿を有するパチスロ機において、前記受皿に装着するダンパーが、ダンパーに装着する飛出機構によって所定の長さだけ前記パチスロ機の前面より前方に飛出した後、前記受皿に装着する傾斜機構が前記受皿を徐々に前方に所定の角度だけ傾斜させ、前記受皿の傾斜を開始すると同時に比例して前記受皿を遮蔽していた前面扉が展開し、前記受皿内のメダルが排出し、前記メダルの排出後、前記ダンパーを後方に押してやると、前記受皿と前記前面扉が元の位置に復元するようにしたパチスロ機のメダル一括排出機構付受皿なので、受皿を遮蔽していた前面扉が突然展開して収納中のメダルを外部に排出することを防止せしめた。
【００５６】
さらに従来のメダル一括排出機構付受皿と異なり、既設のパチスロ機の内部構造を改良することなく、ただ単に既設の受皿部分のみの交換だけで足り、そのため改良工事費を著しく節減できる利点を有している。
【００５７】
また本発明は、受皿の容積を従来どおりに確保せしめる利点を有している。
【００５８】
請求項２記載の発明は、前記パチスロ機の枠体より飛出のイジェクトボタンを押圧すると、バネによって牽引されていたストッパーの先端部を上方に押上げ、前記の押上げによって前記ダンパーを前方に飛出せしめる飛出阻止機構を解除するパチスロ機のメダル一括排出機構付受皿なので、請求項１の発明と同じ効果を有している。
【００５９】
請求項３記載の発明は、前記ダンパーの飛出阻止機構は、前記ダンパー下方の下方部位に交叉状に軸着する２枚の操作部を配し、交叉する前記２枚の操作部の前方端部を介してダンパーの前方部を押圧せしめ、交叉する前記２枚の操作部の交叉部より後方の対向する前記２枚の操作部の内側部にバネを夫々接続せしめ、前記ストッパー機構が解除し前記ストッパーの引掛け部と前記ダンパーの後方部に設けた孔部との係止部分が離脱すると、前記両操作部に接続の前記バネが対向状の前記操作杆を牽引して前記ダンパーを前方に飛出させるパチスロ機のメダル一括排出機構付受皿なので、請求項１の発明と同じ効果を有している。
【００６０】
請求項４記載の発明は、前記ダンパーの左右両サイドに取着のスライダーは、前記ダンパーの移動に比例して移動し、且分離板によって区分された内側誘導部と外側誘導部内を交互に前方もしくは後方に移動し、前記内側誘導部内を移動するときは、前記ダンパーが前方へ前進し、メダルが収納されている前記受皿を傾斜させメダルを排出するときは、外側誘導部内を移動すると共に、前記受皿からのメダルの排出終了後や、前記ダンパーの前進への飛出時には、前記内外側誘導部と接続する前方誘導部もしくは後方誘導部に収納するようにしたパチスロ機のメダル一括排出機構付受皿なので、請求項１の発明と同じ効果を有している。
【００６１】
請求項５記載の発明は、前記トグル機構は、前記受皿の左右両サイドに位置し、３枚の操作部の一端部を回動できるように軸着し、前方に延設する前方操作部の軸着していない他端部に突起部を形成し、前記ダンパーが前記外側誘導部内を通過するとき前記突起部に係止して前記前方操作部を後方へ押圧し、所定の距離を移動したところで押圧を解除し、前記トグル機構を構成する上方向に傾斜する上方操作部の軸着していない他端部は、前記受皿の側壁部に回動できるように軸着し、下方へ傾斜する下方操作部の軸着していない他端部に嵌挿孔を設け、この嵌挿孔に水平状の突起を挿入し前記下方操作部が回動できるパチスロ機のメダル一括排出機構付受皿なので、請求項１の発明と同じ効果を有している。
【００６２】
請求項６記載の発明は、前記前面扉は、前記受皿が前方に傾斜しないときは、前記受皿の上方部と前方部とを遮蔽せしめ、前記受皿が傾斜すると遮蔽状態が解除されて、下方端部を基点にして展開状態となるようにしたパチスロ機のメダル一括排出機構付受皿なので、請求項１の発明と同じ効果を有している。
【図面の簡単な説明】
【図１】本発明パチスロ機のメダル一括排出機構付受皿を示す一部切欠傾斜図である。
【図２】同受皿を示す一部切欠斜視図である。
【図３】同受皿と関連する機構の要部を示す一部切欠傾斜図である。
【図４】同ダンパーの飛出機構を示す要部の平面図である。
【図５】同ダンパーが飛出した状態を示す要部の平面図である。
【図６】同ダンパーとスライダーとの関係を示す斜視図である。
【図７】同ダンパーとスライダーの関係の拡大した状態の一部切欠斜視図である。
【図８】同スライダーの動作が変化した状態を示す一部切欠斜視図である。
【図９】同飛出したダンパーを押込む直前の一部切欠斜視図である。
【図１０】同メダルの排出状態を示す斜視図である。
【図１１】ダンパーが飛出直前のスライダーの状態を示す図である。
【図１２】ダンパーが飛出する途中のスライダーの状態を示す図である。
【図１３】スライダーが前方誘導部に位置した状態を示す図である。
【図１４】受皿と前面扉が傾斜し始めた状態を示す図である。
【図１５】受皿と前面扉がメダルを排出する状態を示す図である。
【図１６】ダンパーが復元したときのスライダーの動きを示す図である。
【図１７】トグル機構の拡大斜視図である。
【図１８】図１７にトグルを除去した状態の斜視図である。
【符号の説明】
ａ　　　　受皿
ｂ　　　　前面扉
ｃ　　　　ダンパー
ｄ　　　　傾斜機構
１　　　　イジェクトボタン
２　　　　枠体
３　　　　梃子
４　　　　化粧板
５　　　　ストッパー
６　　　　引掛け部
７　　　　バネ
８　　　　軸部
９　　　　小孔
１０　　　前方部
１１　　　板部
１２　　　下方板部
１３　　　操作部
１４　　　操作部
１５　　　枢着部
１５ａ　　支点
１６　　　ピン
１７　　　スライド部
１８　　　バネ
２０　　　スライダー
２１　　　分離板
２２　　　内側誘導部
２３　　　外側誘導部
２４　　　前方誘導部
２５　　　後方誘導部
２６　　　外側縁部
２７　　　内側縁部
２８　　　前方操作部
２９　　　上方操作部
３０　　　下方操作部
３１　　　枢着部
３２　　　突起部
３３　　　枢着部
３４　　　嵌挿孔
３５　　　突起
３６　　　凹部
３７　　　側面部
３８　　　嵌挿孔
３９　　　突子
【図１】
2004065450.tif 000003
【図２】
2004065450.tif 000004
【図３】
2004065450.tif 000005
【図４】
2004065450.tif 000006
【図５】
2004065450.tif 000007
【図６】
2004065450.tif 000008
【図７】
2004065450.tif 000009
【図８】
2004065450.tif 000010
【図９】
2004065450.tif 000011
【図１０】
2004065450.tif 000012
【図１１】
2004065450.tif 000013
【図１２】
2004065450.tif 000014
【図１３】
2004065450.tif 000015
【図１４】
2004065450.tif 000016
【図１５】
2004065450.tif 000017
【図１６】
2004065450.tif 000018
【図１７】
2004065450.tif 000019
【図１８】
2004065450.tif 000020